(57)【特許請求の範囲】
【請求項１】
本体の前面上部および上面に設けられた吸込口と、前面下部に設けられた吹出口とを結ぶ空気通路に、略逆Ｖ字状に折曲形成された熱交換器および送風ファンを配設し、前記吸込口の内面側に、複数の横桟および縦桟を含む枠部と、同枠部に張り付けられた網部とからなるエアフィルタを着脱可能に装着してなる空気調和機において、
前記エアフィルタの挿入時に奥側となる枠部の上端部中央に、補助縦桟を設けてなることを特徴とする空気調和機。
【請求項２】
本体の前面上部および上面に設けられた吸込口と、前面下部に設けられた吹出口とを結ぶ空気通路に、略逆Ｖ字状に折曲形成された熱交換器および送風ファンを配設し、前記吸込口の内面側に、複数の横桟および縦桟を含む枠部と、同枠部に張り付けられた網部とからなるエアフィルタを着脱可能に装着してなる空気調和機において、
前記エアフィルタの挿入時に奥側となる枠部の上端部の縦桟の本数が、中央部または前端部の縦桟の本数よりも多いことを特徴とする空気調和機。
【請求項３】
前記補助縦桟に、前記熱交換器に対向するリブが突設されてなることを特徴とする請求項１または２に記載の空気調和機。
【請求項４】
前記リブが、前記補助縦桟の上下方向に等間隔により複数突設されてなることを特徴とする請求項3に記載の空気調和機。
【発明の詳細な説明】
【０００１】
【発明の属する技術分野】
本発明は、空気調和機に係わり、より詳細には、エアフィルタが撓んだ状態であっても略逆Ｖ字状に折曲された熱交換器の折曲部に接触して損傷しないようにした構造に関する。
【０００２】
【従来の技術】
従来の空気調和機は、図１で示すように、本体１の前面上部および上面に設けられた吸込口２と、前面下部に設けられた吹出口３とを結ぶ空気通路に、略逆Ｖ字状に折曲形成された熱交換器４および送風ファン５を配設し、前記吸込口２の内面側に、複数の横桟および縦桟を含む枠部と、同枠部に張り付けられた網部とからなるエアフィルタ10を着脱可能に装着してなる構成であった。
【０００３】
しかしながら、前記吸込口２が前記本体１の前面上部および上面に設けられていることから、前記エアフィルタ10は、側面視で略Ｌ字状に湾曲しながら着脱可能に装着されるようになっているので、図１で示す接触部ａのように、とくにこの湾曲部が前記熱交換器４の折曲部に接触して前記網部が損傷してしまう恐れがあり、慎重に装着する必要が生じるため作業性が悪いという問題点を有していた。
【０００４】
また、前記エアフィルタ10を成形した際、その左右略中央部が前記熱交換器４側に撓んでしまうことから、該箇所の網部が前記熱交換器４に接触してしまうという避け難い現象が生じていたので、早急に対策を講じて解決をはかることが望まれていた。
【０００５】
【発明が解決しようとする課題】
本発明は、上記問題点を解決し、エアフィルタが撓んだ状態であっても略逆Ｖ字状に折曲された熱交換器の折曲部に接触して損傷しないようにした空気調和機を提供することを目的としている。
【０００６】
【課題を解決するための手段】
本発明は、上記の課題を解決するため、本体の前面上部および上面に設けられた吸込口と、前面下部に設けられた吹出口とを結ぶ空気通路に、略逆Ｖ字状に折曲形成された熱交換器および送風ファンを配設し、前記吸込口の内面側に、複数の横桟および縦桟を含む枠部と、同枠部に張り付けられた網部とからなるエアフィルタを着脱可能に装着してなる空気調和機において、
前記エアフィルタの枠部の上端部中央に、補助縦桟を設けた構成となっている。
【０００７】
また、本体の前面上部および上面に設けられた吸込口と、前面下部に設けられた吹出口とを結ぶ空気通路に、略逆Ｖ字状に折曲形成された熱交換器および送風ファンを配設し、前記吸込口の内面側に、複数の横桟および縦桟を含む枠部と、同枠部に張り付けられた網部とからなるエアフィルタを着脱可能に装着してなる空気調和機において、
前記エアフィルタの枠部の上端部の縦桟の本数が、中央部または前端部の縦桟の本数よりも多い構成となっている。
【０００８】
また、前記補助縦桟に、前記熱交換器に対向するリブが突設された構成となっている。
【０００９】
また、前記リブが、前記補助縦桟の上下方向に等間隔により複数突設された構成となっている。
【００１０】
【発明の実施の形態】
以下、本発明の実施の形態を図面に基づいた実施例として詳細に説明する。
図１は本発明（および従来例）による空気調和機の断面図であり、図２は本発明による空気調和機の説明図で、（Ａ）はエアフィルタを本体に装着する状態を示す斜視図、（Ｂ）は要部斜視図、（Ｃ）は（Ｂ）で示すＡ矢視図である。
【００１１】
本発明による空気調和機は、図で示すように、本体１の前面上部および上面に設けられた吸込口２と、前面下部に設けられた吹出口３とを結ぶ空気通路に、略逆Ｖ字状に折曲形成された熱交換器４および送風ファン５が配設され、前記吸込口の内面側には、エアフィルタ10が着脱可能に装着されている。
【００１２】
上記構成により、前記吸込口２から吸い込まれた吸込空気は、前記エアフィルタ10を通過して清浄空気となったのち前記熱交換器４によって熱交換され、前記送風ファン５により前記吹出口３に送出されて被空調室の空気調和を行うようになっている。
【００１３】
前記エアフィルタ10は、合成樹脂製により金型成形された複数の横桟６および複数の縦桟７からなる枠部８と、これに張り付けられた前記網部９とで構成され、その左右略中央部が前記熱交換器４側に撓んだ状態で前記吸込口２の内面側に着脱可能に装着され、メンテナンス時には、前記前面上部の吸込口２に設けられた挿脱口から挿脱できるようにした構成となっている。
【００１４】
以上の構成において、次にその動作について説明する。
図２（Ａ）および図２（Ｂ）で示すように、前記エアフィルタ10の枠部８の上端部中央に、前記熱交換器４の折曲部に当接する補助縦桟11を設けた構成となっており、これによって、前記エアフィルタ10を前記吸込口２の内面側に着脱可能に装着する際、図１で示す接触部ａにおいて、前記補助縦桟11が前記熱交換器４の折曲部および、またはその近傍に当接するようになるため、前記熱交換器４に前記網部９を接触させないように保護できるようになり、同網部９が損傷してしまうということがなくなる。
【００１５】
また、前記補助縦桟11には、図２（Ｃ）で示すように、前記熱交換器４に対向するリブ12が突設された構成となっているので、同リブ12を前記熱交換器４に当接させることにより、同熱交換器４に前記網部９を接触させないように正確に保護できるようになる。
【００１６】
なお、前記リブ12は、その先端部が曲面状に形成されたことで前記熱交換器４に対し円滑に摺動できるようになっており、また、前記補助縦桟11の上下方向に等間隔により複数突設された構成となっているので、前記熱交換器４に前記網部９を接触させないように更に正確に保護できるようになり、更に、前記補助縦桟11が弾性変形しにくくなって着脱時の作業性を劣化させるということがない。
【００１７】
【発明の効果】
以上説明したように、本発明によると、エアフィルタが撓んだ状態であっても略逆Ｖ字状に折曲された熱交換器の折曲部に接触して損傷しないようにした空気調和機となる。
【図面の簡単な説明】
【図１】  本発明および従来例による空気調和機の断面図である。
【図２】  本発明による空気調和機の説明図で、（Ａ）はエアフィルタを本体に装着する状態を示す斜視図であり、（Ｂ）は要部斜視図、（Ｃ）は（Ｂ）で示すＡ矢視図である。
【符号の説明】
１  空気調和機本体
２  吸込口
３  吹出口
４  熱交換器
５  送風ファン
６  横桟
７  縦桟
８  枠部
９  網部
10  エアフィルタ
11  補助縦桟
12  リブ
ａ  接触部
【図１】
0003931617.tif 000002
【図２】
0003931617.tif 000003